(57)【要約】【課題】安全性と操作性と審美性を兼ね備え、名札ケースやバッジ、ブローチ等の装身具を保持しながら、織物又は衣類に装着することができる安全ピン装置を提供する。【解決手段】本発明の鉤状安全ピン装置は、可動部がてこの働きをし、支点を基部に設定し、作用点には先端が鉤状の針部が設置されているが、弾性体により基部に引き寄せられている。力点に外力を加えると、針部が蓋部の孔部等から突出し、布地に針を貫通させた後外力を取り去れば、自動的に織物又は衣類に装着しかつ基部表面を利用して名札ケースや装身具を保持することができる。更に、基部等に合成樹脂を用いるため、容易に色彩を施すことができ、その形状も種々にデザインすることができる。【選択図】図１
2005342486.tif 000002
【特許請求の範囲】
【請求項１】
可動部はてこの働きをし、支点を設定して基部に収まり、その作用点に先端が鉤状の針部が設置され、弾性体を利用して作用点を基部に引き寄せ、蓋部からは針部の鉤状部分の１部だけが露出するような構造に形成し、力点に外力を加えると針部は蓋部から突出し、布地に針を貫通させた後外力を取り去れば、自動的に織物又は衣類に装着しかつ名札ケースや装身具を保持可能な鉤状安全ピン装置。
【請求項２】
名札ケースや装身具の１部を基部表面に利用することで、基部表面を省略して形成されたということを特徴とする請求項１に記載の鉤状安全ピン装置。
【請求項３】
基部に名札ケースや装身具の１部分又は全体を形成することを特徴とする請求項１に記載の鉤状安全ピン装置。
【請求項４】
基部表面に突起を設け、その突起を受け入れかつ保持されるように製作された名札ケースと一体化したことを特徴とする請求項１に記載の鉤状安全ピン装置。
【請求項５】
基部表面に孔部を形成し、紐等を通して装身具を保持できることを特徴とする請求項１に記載の鉤状安全ピン装置。
【発明の詳細な説明】
【技術分野】
【０００１】本発明は、名札や装身具を保持しながら織物又は衣類に装着するための安全ピン装置に関する。
【背景技術】
【０００２】従来は主に、幼児や学童用の名札は安全ピンを使い、社会人用の名札は安全ピンやクリップで衣類に装着していた。【０００３】バッジやブローチ等の装身具は、安全ピンやブローチピンやネクタイピンで衣類に装着されていた。【０００４】これらの場合に使用する安全ピンは、まず針先を針の根元に設けられたピン受けから外し、次に針先から続く直線部分を布地に２度貫通させ、更に針先をピン受けに係止させていた。この場合、針の折り返し位置にあるコイルの形状弾性を利用して針先をピン受けに係止させていた。
【発明の開示】
【発明が解決しようとする課題】
【０００５】前述の従来の安全ピンでは、布地を貫通させる針の直線部分の長さは安全ピン全長の約８５％あり、人体のかなり深部まで刺さる可能性があり、危険であるという問題点がある。又、針先がピン受けに係止されているが、この状態では残留応力が働いており物理的に安定な状態とは言えない。もし、針先がピン受けから外れるような外力が働いた場合には、針先がピン受けから外れた状態を保つことになり、危険であるという問題点がある。【０００６】以上のように、従来の安全ピンでは使用者に危険性を直感させるため、その使用にあたっては慎重でありかつ集中力を要し、特に幼児から小学校の低学年までの学童や高齢者や視力や手指に難を持つ人々にとって、安全ピンの使用は困難を来すものであるという問題点がある。【０００７】バッジやブローチ等の装身具では裏面に予め安全ピンやブローチピンが設けられているが、衣類に装身具を装着した時、その脇から安全ピンやブローチピンが見えては審美性が失われると一般的に言われている。また従来の安全ピンやブローチピンは一方向に長い形状をしているため、脇から見えなくするためには安全ピンやブローチピンが極めて小さくなり、衣類等への装着が困難になるという問題点がある。【０００８】バッジやブローチ等の装身具を織物又は衣類に装着させる場合、従来の安全ピンではその機能を有する構造全体が露出した状態になっているので、装身具の審美性を損なうという問題点がある。
【課題を解決するための手段】
【０００９】本発明の鉤状安全ピン装置は、可動部がてこの働きをし、支点を設定して基部に収まり、その作用点に先端が鉤状の針部が設置され、弾性体を利用して作用点を基部に引き寄せ、蓋部からは針部の鉤状部分の１部だけが露出するような構造であり、そのように形成される。力点に外力を加えると針部は蓋部から突出し、布地に針を貫通させた後外力を取り去れば、自動的に織物又は衣類に装着しかつ名札ケースや装身具を保持することができる。【００１０】本発明の鉤状安全ピン装置は、名札ケースや装身具の１部を基部表面に利用することで、基部表面を省略して形成されることができる。【００１１】本発明の鉤状安全ピン装置は、基部に名札ケースや装身具の１部分又は全体を形成することができる。【００１２】本発明の鉤状安全ピン装置は、基部表面に突起を設け、その突起を受け入れかつ保持されるように製作された名札ケースと一体化して製作されることができる。【００１３】本発明の鉤状安全ピン装置は、基部表面に孔部を形成して、紐等を通して装身具を保持することができる。
【発明の効果】
【００１４】本発明の鉤状安全ピン装置では、針の先端部分が鉤状であるため、もし人体に刺さった場合でも最大で鉤状部分の半径の長さの深度までしか至らない。また、針先は常に安全ピン装置の方向を向いているので、使用者を傷つける可能性は非常に低い。更に、従来の安全ピンでは両手を安全ピンに触れて操作していたが、本発明の鉤状安全ピン装置では、基本的に利き手の人差し指と親指をそれぞれ安全ピン装置の基部の表面と露出している可動部に当てて操作するため、針先に人体の一部が触れる可能性は非常に低い。特記すべきことは、従来の安全ピンでは針先がピン受けから外れた状態が物理的に安定な状態であるのに対し、本発明の鉤状安全ピン装置では、その内部に針先が収納されている状態が常態である。【００１５】以上に述べた理由により、本発明の鉤状安全ピン装置は、従来の安全ピンにない技術によって、高い安全性を実現できたと言える。【００１６】従来の安全ピンでは、両手を安全ピンに触れて操作する必要があり、まずピン受けから針先を外し、次に針先から続く直線部分を布地に２度貫通させ、再び針先をピン受けに係止させていた。本発明の鉤状安全ピン装置では、基本的に利き手の人差し指と親指をそれぞれ安全ピン装置の基部の表面と露出している可動部に当てて挟むように可動部を押し込むと、針先の鉤状部分は蓋部から開くように回転運動を伴いつつ突出する。次に針の鉤状部分を織物又は衣類の布地に貫通させ、挟んでいた２本の指を離すと、本発明の鉤状安全ピン装置は、自動的に織物又は衣類に掛かり止まりながら、針先を安全ピン装置の内部に収納する。又、従来の安全ピンでは、力を加える部分が線状であるのに対して、本発明の鉤状安全ピン装置では平面であるから、操作する指には小さな圧力で比較的大きな力を働かせることができる。この力に対する板バネの応力が、針の鉤状部分を織物又は衣類の布地に掛かり止めながら、針先を安全ピン装置の内部にしっかりと収納する。【００１７】以上に述べた理由により、本発明の鉤状安全ピン装置は従来の安全ピンに比べ、基本機能を確保しながら身体への負担が少なく、使用法は簡単であることにより、幼児から小学校の低学年までの学童や高齢者や視力や手指に難を持つ人々を含めた多くの人々が、公平に使用できるものである。【００１８】従来の安全ピンでは、機能を有する針部とピン受け部全体が露出しかつ一方向に長い形状をしてる。また、その表面にはニッケルメッキが施されている。しかし、本発明の鉤状安全ピン装置には基部や蓋部が設けられ、安全ピン装置内部の構造を隠すと同時に基部等に色彩を施すことができる。又、形状に於いても特に一方向に長くはない概ね直方体である。これにより、バッジやブローチ等の装身具を安全ピン装置の基部表面に保持し衣類に装着した時、その脇から安全ピン装着が見えて審美性が失われるのを防ぐために、安全ピン装着を使用に困難を来すほど小さくしなくてよい。【００１９】以上に述べた理由により、本発明の鉤状安全ピン装着は、従来の安全ピンに比べ高い審美性を実現しかつ高い操作性を確保した上での小型化を図れたことで、より広範な用途に供用できる。
【発明を実施するための最良の形態】
【００２０】初めに、本発明を実施するための最良の形態の基本構造を説明する。【００２１】本発明の鉤状安全ピン装置の構造は、基部と可動部と針部と板バネと蓋部とからなる。基部には軸受けが形成され、そこに可動部の軸が収められ、更に蓋部に形成された爪が、可動部が自由に動く程度の透き間を取って設置される。針部は鉤状の先端を有した合同な２本の針が平行に伸び、その根元を連結部分でつなぎ一体となっている。針部の連結部分は、可動部に形成された軸受けに収められかつ板バネの一端によって押さえられ、針部が自由に動く程度の透き間を取って設置される。板バネは、２カ所の孔部を有し、可動部と蓋部に形成された板バネ止めの突起とこれらの孔部によって、Ｕ字形に押し曲げられて固定される。蓋部には切れ込みと孔部が２組形成され、そこから２本の針の鉤状の湾曲部分が露出している。常態では、板バネの形状弾性により針の鉤状の先端部分は蓋部に引き寄せられている。使用にあたっては、蓋部に覆われていない可動部に外力を加えることにより板バネは弾性変形し、可動部はその軸を支点として作用点としての針部を外部へ突出させる。この時に、針の鉤状の先端部分を織物又は衣類に貫通させ、外力を取り去れば、鉤状の針は織物又は衣類を貫通させたまま蓋部に自動的に引き寄せ、本発明の鉤状安全ピン装置は装着する。かつ基部の表面を台座として、名札ケースや装身具を保持することができる。【００２２】又、材質的には、基部や蓋部や可動部はプラスチック等の硬質な合成樹脂を用い、針部や板バネはスチール等の金属を用いる。又、金属の錆止めのためニッケルメッキ等の表面処理を行う。更に、外観的には色彩を施すことができ、その形状も種々にデザインすることができ、基部に名札ケースや装身具の１部分又は全体を形成することもできる。【００２３】次に、本発明を実施するための最良の形態の基本構造を、図面に基づいて詳細に説明する。【００２４】図１は、本発明の鉤状安全ピン装置の蓋部方向からの全体斜視図である。１は基部、２は蓋部、２ｄは切れ込み、２ｅは孔部、３は可動部、４は針部を表している。図２は、本発明の鉤状安全ピン装置の基部斜視図であり、１ａは可動部の軸を受け入れる軸受けであり、１ｂは爪受けで、１ｃ，１ｆは蓋部との接触面であり、１ｄは側面の切断箇所を表している。Ａは、図３に示す拡大領域である。図３は、図２における領域Ａの拡大図である。１ａは可動部の軸を受け入れる軸受けであり、１ｂは爪受けである。これらのように基部は形成される。図４は、本発明の鉤状安全ピン装置の蓋部正面図であり、２は蓋部全体を表し、２ａは蓋部を基部に固定するための爪であり、軸受けに収められた可動部の軸をわずかな透き間をとって蓋をする部分でもある。２ｂは１ｆに対応する接触面であり、２ｃは板バネ止めの突起であり、２ｄは切れ込みで２ｅは孔部であり針部の出入り口である。切断線ＢＣにおける左からの断面図が図６であり、切断線ＤＥにおける左からの断面図が図７である。又、図５は、図４に対応する蓋部平面図である。これらのように蓋部は形成される。図８は、本発明の鉤状安全ピン装置の可動部斜視図である。３は可動部全体を表し、３ａは軸であり１ａに収まりわずかな透き間をとって２ａによって蓋をされるが、可動部に外力が加わった時はその支点として回転する部分である。３ｂは針部の連結部分を収める軸受けであり、わずかな透き間をとって針部が自由に回転できるように形成される。３ｃは板バネ止めの突起であり、板バネの孔部５ａを固定する部分である。３ｄは本発明の鉤状安全ピン装置を使用するときに、外力を加える面である。これらのように可動部は形成される。図９は、本発明の鉤状安全ピン装置の針部斜視図である。４は針部を表し、４ａは針先の鉤状部分であり、４ｂは針の連結部分であり、４ｃは針の根元部分であり３ｂの軸受けから横へはみ出ている部分である。これらのように針部は形成される。図１０は、本発明の鉤状安全ピン装置の板バネの正面図であり、５は板バネを表し、５ａは孔部であり３ｃに固定される部分である。５ｂも孔部であり２ｃに固定される部分である。これらのように板バネは形成される。図１１は、可動部の３ｂに針部の４ｂを収め、板バネの５ａを可動部の３ｃに固定し、板バネの一端が４ｂが外れないようにわずかな透き間をとって蓋をしている状態を表している。５ｃは板バネの破断線を表している。これらのように可動部と針部と板バネは組み立てられる。図１２は、基部に可動部を取り付けた状態の蓋部方向からの正面図である。図１３は、本発明の鉤状安全ピン装置について基本構造を示す蓋部方向からの全体正面図である。切断線ＦＧにおける左からの断面図が図１５であり、外力が働かない時あるいは織物又は衣類を掛かり止めた時の針部や可動部の状態を表している。想像線６は織物又は衣類の布地を表している。ただし、参考として軸受け３ｂの外形も示している。切断線ＨＩにおける左からの断面図が図１６であり、外力が働かない時の板バネや可動部の状態を表している。図１４は、本発明の鉤状安全ピン装置全体について基本構造を示す基部表面方向からの全体斜視図である。図１７は、切断線ＦＧの位置において可動部に外力を加えた状態の左からの断面図であり、針部や可動部の状態を表している。ただし、参考として軸受け３ｂの外形も示している。図１８は、切断線ＨＩの位置において可動部に外力を加えた状態の左からの断面図であり、板バネや可動部の状態を表している。以上のように、本発明の鉤状安全ピン装置は形成され組み立てられ、又作動する。
【実施例１】
【００２５】図１９は実施例１の側面図であり、前述の基本構造を有する本発明の鉤状安全ピン装置がバッジを保持し衣類に掛かり止まっている状態を表している。７はバッジであり、その裏面が基部表面１ｅに接着され、織物又は衣類の布地６を針先の鉤状部分４ａが貫通し、蓋部２との間でしっかりと掛かり止めている状態を表している。以上のように実施する。
【実施例２】
【００２６】図２０は実施例２の側面図であり、ブローチの裏面を基部表面に利用することで、基部表面を省略して形成された本発明の鉤状安全ピン装置が、ブローチを保持しかつ衣類に掛かり止まっている状態を表している。８はブローチであり、８ａはブローチの裏面である。基部表面１ｅを欠く安全ピン装置がブローチに接着され、衣類の布地６を針先の鉤状部分４ａが貫通し、蓋部２との間でしっかりと掛かり止めている状態を表している。以上のように実施する。
【実施例３】
【００２７】図２１は実施例３の側面図であり、本発明の鉤状安全ピン装置が名札を入れた名札のハードケースを保持しかつ衣類に装着している状態を表している。９は名札のハードケースであり、１０は名札である。名札のハードケースの裏面が基部表面１ｅに接着され、衣類の布地６を針先の鉤状部分４ａが貫通し、蓋部２との間でしっかりと掛かり止めている状態を表している。以上のように実施する。
【実施例４】
【００２８】図２２は実施例４の側面図であり、本発明の鉤状安全ピン装置が名札を入れた名札のハードケースを保持しかつ衣類に装着している状態を表している。この場合は、本発明の鉤状安全ピン装置の基部に名札のハードケースを直接形成し、鉤状安全ピン装置と名札のハードケースが一体となっている。９は名札のハードケースであり１０は名札である。又、衣類の布地６を針先の鉤状部分４ａが貫通し、蓋部２との間でしっかりと掛かり止めている状態を表している。以上のように実施する。
【実施例５】
【００２９】図２３は本発明の鉤状安全ピン装置の側面図であるが、基部表面に２個の突起を設けた状態を表している。１１は突起である。図２４はその基部表面方向からの斜視図である。以上のように形成される。図２６は本発明の鉤状安全ピン装置と一体化する名札のソフトケース全体の正面図である。図２５は、図２６の領域Ｊの拡大図である。１２ａは名札のソフトケースの裏地であり１２ｂはその表地で、ともに透明なビニール等の軟質な合成樹脂を用いる。１２ｃは裏地と表地の接合面であり、圧着又は接着する。１２ｄは裏地と表地に合同で同位地にある孔部であり、２個の突起１１が貫通して名札のソフトケースが保持される部分である。１２ｅは裏地と表地に合同で同位地にある切れ目であり、突起１１が貫通する時には１２ｄを広げる働きをする。１２ｆは名札を出し入れする口である。図２７は実施例５の斜視図である。以上のように実施する。
【実施例６】
【００３０】図２８は実施例６の斜視図であり、本発明の鉤状安全ピン装置の基部表面に孔部を形成し、そこに紐を通して本発明の安全ピン装置が装身具を保持している状態を表している。１ｇは孔部であり、１４は紐であり、１５は装身具を表している。図２９は、紐が可動部の動きを不十分にしないように、可動部に切れ込みを施した状態を表している。３ｅは切れ込みである。以上のように実施する。
【産業上の利用可能性】
【００３１】本発明の鉤状安全ピン装置は、名札や装身具を衣服や布地のバッグ等に装着することができるが、従来の安全ピンに比べて圧倒的な安全性と操作性を有する。このことにより、より広範な使用者を対象とした製品たり得ると信ずる。又、従前の安全ピンは、必要な機能は有するものの、それ自体に審美性等の付加価値は全くなかった。ところが、本発明の鉤状安全ピン装置では、色彩を施すことは勿論のこと、形状を自由にデザインすることもできるので、安全ピン装置自体が、独立した１個の装身具又は装飾品となり得る可能性を充分に有している。
【図面の簡単な説明】
【００３２】
【図１】本発明の鉤状安全ピン装置について、蓋部方向からの基本構造を示した全体斜視図である。
【図２】本発明の鉤状安全ピン装置について、基本構造を示した基部斜視図である。
【図３】図２における領域Ａを示した拡大図である。
【図４】蓋部を示した正面図である。
【図５】蓋部を示した平面図である。
【図６】図４の切断線ＢＣにおける切断面を左から示した断面図である。
【図７】図４の切断線ＤＥにおける切断面を左から示した断面図である。
【図８】可動部を示した斜視図である。
【図９】針部を示した斜視図である。
【図１０】板バネを示した正面図である。
【図１１】可動部に針部と板バネを取り付けた状態を示した斜視図である。
【図１２】基部に可動部を取り付けた状態を示した正面図である。
【図１３】本発明の鉤状安全ピン装置について、蓋部方向からの基本構造を示した全体正面図である。
【図１４】本発明の鉤状安全ピン装置について、基部表面方向からの基本構造を示した全体斜視図である。
【図１５】図１３の切断線ＦＧにおける切断面を左から示した断面図である。
【図１６】図１３の切断線ＨＩにおける切断面を左から示した断面図である。
【図１７】図１３の切断線ＦＧの位置において、可動部を作動させた状態を左から示した断面図である。
【図１８】図１３の切断線ＨＩの位置において、可動部を作動させた状態を左から示した断面図である。
【図１９】本発明の鉤状安全ピン装置の実施例１を示した側面図である。
【図２０】本発明の鉤状安全ピン装置の実施例２を示した側面図である。
【図２１】本発明の鉤状安全ピン装置の実施例３を示した側面図である。
【図２２】本発明の鉤状安全ピン装置の実施例４を示した側面図である。
【図２３】実施例５における本発明の鉤状安全ピン装置を示した側面図である。
【図２４】実施例５における本発明の鉤状安全ピン装置を示した斜視図である。
【図２５】図２６における領域Ｊを示した拡大図である。
【図２６】実施例５における名札のソフトケースを示した正面図である。
【図２７】本発明の鉤状安全ピン装置の実施例５を示した斜視図である。
【図２８】本発明の鉤状安全ピン装置の実施例６を示した斜視図である。
【図２９】実施例６における本発明の鉤状安全ピン装置を示した斜視図である。
【符号の説明】
【００３３】１      基部
１ａ    軸受け
１ｂ    爪受け
１ｃ    蓋部との接触面
１ｄ    切断箇所
１ｅ    基部表面
１ｆ    蓋部との接触面
１ｇ    孔部
２      蓋部
２ａ    爪
２ｂ    基部との接触面
２ｃ    板バネ止め
２ｄ    切れ込み
２ｅ    孔部
３      可動部
３ａ    軸
３ｂ    軸受け
３ｃ    板バネ止め
３ｄ    外力を加える面
３ｅ    切れ込み
４      針部
４ａ    針先の鉤状部分
４ｂ    針の連結部分
４ｃ    針の根元部分
５      板バネ
５ａ    孔部
５ｂ    孔部
５ｃ    破断線
６      織物又は衣類の布地
７      バッジ
８      ブローチ
８ａ    ブローチの裏面
９      名札のハードケース
１０    名札
１１    突起
１２ａ  名札のソフトケースの裏地
１２ｂ  名札のソフトケースの表地
１２ｃ  接合面
１２ｄ  孔部
１２ｅ  切れ目
１２ｆ  口
１３    名札
１４    紐
１５    装身具
Ａ      拡大領域
ＢＣ    切断線
ＤＥ    切断線
ＦＧ    切断線
ＨＩ    切断線
Ｊ      拡大領域
【図１】
2005342486.tif 000003
【図２】
2005342486.tif 000004
【図３】
2005342486.tif 000005
【図４】
2005342486.tif 000006
【図５】
2005342486.tif 000007
【図６】
2005342486.tif 000008
【図７】
2005342486.tif 000009
【図８】
2005342486.tif 000010
【図９】
2005342486.tif 000011
【図１０】
2005342486.tif 000012
【図１１】
2005342486.tif 000013
【図１２】
2005342486.tif 000014
【図１３】
2005342486.tif 000015
【図１４】
2005342486.tif 000016
【図１５】
2005342486.tif 000017
【図１６】
2005342486.tif 000018
【図１７】
2005342486.tif 000019
【図１８】
2005342486.tif 000020
【図１９】
2005342486.tif 000021
【図２０】
2005342486.tif 000022
【図２１】
2005342486.tif 000023
【図２２】
2005342486.tif 000024
【図２３】
2005342486.tif 000025
【図２４】
2005342486.tif 000026
【図２５】
2005342486.tif 000027
【図２６】
2005342486.tif 000028
【図２７】
2005342486.tif 000029
【図２８】
2005342486.tif 000030
【図２９】
2005342486.tif 000031